(57)【要約】【課題】平地、上り坂、下り坂等、どのような地形状態にでも対応して安定した歩行ができるとともに、下り坂では滑降することも可能な雪上歩行具を提供する。【解決手段】下面をソール面に形成した短尺橇状の歩行具本体（１）の前端寄り部分の下面に滑り止め突起（３）を位置させる。歩行具本体（１）の上面に靴固定具（２）を前後移動可能な状態で配置する。この靴固定具（２）を歩行具本体（１）に少なくとも後端位置、中間位置、前端位置で選択的に固定可能に構成する。【選択図】    図１
2004229685.tif 000002
【特許請求の範囲】
【請求項１】
下面をソール面に形成した短尺橇状の歩行具本体（１）の前端寄り部分の下面に滑り止め突起（３）を位置させ、歩行具本体（１）の上面に靴固定具（２）を前後移動可能な状態で配置し、この靴固定具（２）を歩行具本体（１）に少なくとも後端位置、中間位置、前端位置で選択的に固定可能に構成したことを特徴とする滑降可能な雪上歩行具。
【請求項２】
靴固定具（２）を歩行具本体（１）の後端位置に位置させた状態では、靴固定具（２）の後部底部が歩行具本体（１）の後端部分に係合して靴固定具（２）の踵部が歩行具本体（１）から浮かないように構成した請求項１に記載した滑降可能な雪上歩行具。
【発明の詳細な説明】
【０００１】
【発明の属する技術分野】
本発明は積雪時に雪面を歩行する際に使用する雪面歩行具に関し、特に滑降による移動も可能な雪面歩行具に関する。
【０００２】
【従来の技術】
従来、積雪時に雪面を歩行する際に使用する器具としては、カンジキ、ワカン、スノーシュー等が知られている。これらの雪上歩行具は、靴底よりも広い接地面積を稼ぐことにより、積雪層内への沈み込みを抑制するとともに、スパイク状の突起（爪）をフレームの下面から突出させることで、滑り止めをしている。しかし、このような雪上歩行具では、積雪面の雪質に合わせた最適の接地面積を得ることができないうえ、斜面を登ることが難しいという問題があった。
【０００３】
そこで、歩行器具の骨枠を出退移動可能に組み合わされている前後パイプフレームで構成し、接地面積を調整可能したものが提案されている（例えば、特許文献１）。
【０００４】
【特許文献１】
特開２００１−１１２５１２号公報
【０００５】
【発明が解決しようとする課題】
ところが、前述の接地面積を調整可能にした雪上歩行具では、靴を固定している前フレームに対して、後フレームを出退するように構成しているから、歩行時には前端部分に荷重が集中し、後ろ側が長く延出する状態となることから、平地歩行時や下り坂歩行時には歩行し難いという問題がある上、靴固定部の下面にスパイク状突起が位置することから、下り坂時でも滑走することはできない。
【０００６】
本発明は、このような点に着目して、平地、上り坂、下り坂等、どのような地形状態にでも対応して安定した歩行ができるとともに、下り坂では滑降することも可能な雪上歩行具を提供することを目的とする。
【０００７】
【課題を解決するための手段】
上述の課題を解決するために請求項１に記載の発明は、下面をソール面に形成した短尺橇状の歩行具本体の前端寄り部分の下面に滑り止め突起を位置させ、歩行具本体の上面に靴固定具を前後移動可能な状態で配置し、この靴固定具を歩行具本体に少なくとも後端位置、中間位置、前端位置で選択的に固定可能に構成したことを特徴としている。
【０００８】
また、請求項２に記載の発明は、前記請求項１に記載した雪上歩行具での靴固定具を歩行具本体の後端位置に位置させた状態では、靴固定具の後部底部が歩行具本体の後端部分に係合して靴固定具の踵部が歩行具本体から浮かないように構成したことを特徴としている。
【０００９】
【発明の作用】
請求項１に記載した発明では、下面をソール面に形成した短尺橇状の歩行具本体の前端寄り部分の下面に滑り止め突起を位置させ、歩行具本体の上面に靴固定具を前後移動可能な状態で配置し、この靴固定具を歩行具本体に少なくとも後端位置、中間位置、前端位置で選択的に固定可能に構成していることから、靴固定具を歩行具本体の前端位置に固定した状態では、歩行具本体の前寄り部分に形成した滑り止め突起の上に靴固定具が位置することになる。このため、滑り止め突起に荷重（体重）が十分に作用することから、滑り止め突起が確りと雪面を捉えることになるうえ、後端部を雪面から離れた状態とすることで、歩行具本体と雪面との接触面積を低減させることができるから急な上り坂を移動する際に登りやすくなる。
【００１０】
また、靴固定具を歩行具本体の中間位置に固定した状態では、前後のバランスがとりやすく、歩行具本体の前寄り部分に形成した滑り止め突起にも適度な荷重が作用することになるから、軽いのぼり勾配や平地での歩行を楽に行うことができる。さらに、靴固定具を歩行具本体の後端位置に配置した状態では、後荷重となることから、歩行具本体の前端が雪面から浮くような状態となって歩行具本体の前寄り部分に形成した滑り止め突起への荷重が軽減されることにり、下り坂での滑降移動が可能となる。また、下り坂で歩行具本体の前端寄り部分を雪面から浮かすことによって、制動をかけた状態での滑降移動や、歩行下降が可能になる。
【００１１】
さらに、請求項２に記載したように、固定具を歩行具本体の後端位置に配置した状態で、後部底部が歩行具本体の後端部分に係合して靴固定具の踵部が歩行具本体から浮かないように構成した場合には、滑降移動時に靴と歩行具本体とが一体となることから、ショートスキーと同じ感覚で無理なく滑降することが出来ることになる。
【００１２】
【発明の実施の形態】
図は本発明の一実施形態を示す片側の雪上歩行具を示し、図１は一部を切除した分解斜視図、図２は縦断側面図、図３は平面図である。
この雪上歩行具は、短尺橇状の歩行具本体（１）と、この歩行具本体（１）の上面に前後移動可能な状態で配置した靴固定具（２）とからなり、歩行具本体（１）の前端寄り部分の底面に滑り止め突起（３）を位置させるとともに、滑り止め突起（３）の配設位置を除く部分をソール面（踏面）に構成してある。
【００１３】
歩行具本体（１）は、短尺金属製底板（４）の後端部と左右側部とに立上り壁（５）を形成するとともに、底板前端部分を斜め上方に反らせて短尺の橇状に形成し、底板（４）の前寄り部分に窓孔（６）を開設し、この窓孔（６）部分に側面視鋸歯状に形成した金属板（７）を配置し、この鋸歯先端部分を底板（４）の底面から下方に突出させることで滑り止め突起（３）としている。そして、立上り壁（５）の左右側壁部（５ａ）に後述する靴固定具（２）を歩行具本体（１）の後端位置、少なくとも１個所の中間位置、前端位置に固定するための係合孔（８）が透設してある。また、踵部に対応する立上り壁（５ｂ）では、底板（４）との間にスリット状の溝孔（９）が形成してある。
【００１４】
靴固定具（２）は、図示を省略した靴の踵部から中足部分までの側部に対応する立上り壁（１０）と、踏板（１１）と、この踏板（１１）の先端部分に配置した係合片（１２）とで構成してあり、係合片（１２）は中間巻回部を有する開きバネ（１３）の先端部をそれぞれ外側に折り曲げて形成した折り曲げ線材で構成してある。そして、係合片（１２）が前述の係合孔（８）に嵌まり込むことで靴固定具（２）を歩行具本体（１）に固定するようにしてある。また、踏板（１１）の後端部分（１４）は立ち上がり壁（１０）の後端位置よりも後まで突出しており、靴固定具（２）を歩行具本体（１）の後端位置にセットした状態では、この踏板（１１）の後端部分（１４）が歩行具本体（１）の立上り壁（５）での後端部分に形成したスリット状溝孔（９）に嵌まり込んで、靴固定具（２）の踵部が歩行具本体（１）から浮かないようにしている。
【００１５】
図中符号（１５）は、靴固定具（２）の立上り壁（１０）での踵部に対応する個所に形成した流れ止めバンド係合部、（１６）は靴固定具（２）の立上り壁（１０）の左右側壁中間部に形成した靴固定バンド係合部である。
【００１６】
上述の構成からなる雪上歩行具は、靴固定具（２）が歩行具本体（１）の中間位置や前端位置に位置している状態では、靴固定具（２）と歩行具本体（１）とは靴固定具（２）の先端部分に配置した係合片（１２）だけで連結されることになるから、その姿勢では靴固定具（２）の後端部すなわち靴の踵部分を歩行具本体（１）から浮かせることができる。この結果、靴固定具（２）を歩行具本体（１）の中間部分に配置した状態での平地や軽い登り勾配個所の歩行時、あるいは靴固定具（２）を歩行具本体（１）の前端部分に配置した状態での急勾配の登坂時に歩行具本体（１）を大きく持ち上げなくても良くなり、歩行を楽におこなえる。
【００１７】
また、靴固定具（２）を歩行具本体（１）の後端位置に位置させた状態では、靴固定具（２）の先端部分に配置した係合片（１２）での連結に加えて、靴固定具（２）の踏板後端部（１３）が歩行具本体（１）の踵部対応立上り壁（５ｂ）と底板（４）との間に形成したスリット状の溝孔（９）に挿入されて連結されることから、靴固定具（２）は靴の踵部を浮かせることなく、一体的に連結されることになるから、下り坂を降りる際にショートスキーとして滑降することが出来ることになる。この時、荷重（体重）は歩行具本体（１）の後端部に集中することになるから、歩行具本体（１）前端寄り部に配置した滑り止め突起（３）が滑降移動の邪魔になることは殆どない。また、下り坂を降りる際に歩行具本体（１）の前側を浮かすことにより、制動をかけた状態での滑降移動あるいは、踵部分を使用した歩行下降が行えることになる。
【００１８】
【発明の効果】
本発明では、下面をソール面に形成した短尺橇状の歩行具本体の前端寄り部分の下面に滑り止め突起を位置させ、歩行具本体の上面に靴固定具を前後移動可能な状態で配置し、この靴固定具を歩行具本体に少なくとも後端位置、中間位置、前端位置で選択的に固定可能に構成していることから、靴固定具を歩行具本体の前端位置に固定した状態では、歩行具本体の前寄り部分に形成した滑り止め突起の上に靴固定具が位置することになる。このため、滑り止め突起に荷重（体重）が十分に作用することから、滑り止め突起が確りと雪面を捉えることになるうえ、後端部を雪面から離れた状態とすることで、歩行具本体と雪面との接触面積を低減させることができるから、急な上り坂を移動する際に登りやすくすることができる。
【００１９】
また、靴固定具を歩行具本体の中間位置に固定した状態では、前後のバランスがとりやすく、歩行具本体の前寄り部分に形成した滑り止め突起にも適度な荷重が作用することになるから、軽いのぼり勾配や平地での歩行を楽に行うことができる。さらに、靴固定具を歩行具本体の後端位置に配置した状態では、後荷重となることから、歩行具本体の前端が雪面から浮くような状態となって歩行具本体の前寄り部分に形成した滑り止め突起への荷重が軽減されることになり、下り坂での滑降移動が可能となる。この時、歩行具本体の長さは短いが、培以上の安定感を感じることができる。また、下り坂で歩行具本体の前端寄り部分を雪面から浮かすことによって、制動をかけた状態での滑降移動や、歩行下降を可能にすることができる。
【００２０】
さらに、請求項２に記載したように、固定具を歩行具本体の後端位置に配置した状態で、後部底部が歩行具本体の後端部分に係合して靴固定具の踵部が歩行具本体から浮かないように構成した場合には、滑降移動時に靴と歩行具本体とが一体となることから、ショートスキーと同じ感覚で無理なく滑降することができる。
【００２１】
また、本発明に係る雪上歩行具は雪面のみならず、雪の少ないスキー場あるいは砂浜や砂丘でも雪上と同じように使用することができることから、サンドスキーとしてオールシーズンでしようすることが可能である。
【図面の簡単な説明】
【図１】一実施形態を示す雪上歩行具の一部を切除した斜視図である。
【図２】一実施形態を示す雪上歩行具の縦断側面図である。
【図３】一実施形態を示す雪上歩行具の平面図である。
【符号の説明】
１…歩行具本体、２…靴固定具、３…滑り止め突起。
【図１】
2004229685.tif 000003
【図２】
2004229685.tif 000004
【図３】
2004229685.tif 000005